(57)【要約】      （修正有）【課題】従来の自動販売機の様にコイン投入口も必要でなく、供給ボックス内部の景品を簡易に抜き出すことができ、景品の種類によって等級を決めれる景品簡易供給ボックスを提供する。【解決手段】供給ボックス素材としてダンボールや硬質樹脂製を用い、内部の供給手段として台座下部に景品を引き出す引出し部を設けることによって、内部の景品を１個毎に供給できる。【選択図】図１
0003113856.tif 000002
【実用新案登録請求の範囲】
【請求項１】
景品を収容し供給する簡易供給ボックスであって、
前記ボックスは、ボックス本体１の一面に景品排出口２とその前に位置する景品取出し部３と前後に移動可能な引出し部４用の開口部５とを設け、上面には景品を収容させる為の開放蓋を設けてあり、
前記ボックス内側には、景品を載置し、前記引出し部４の移動により景品を１個毎に抜き出し口より下方に落下させる台座本体３０を設置すると共に、
該台座本体３０は、斜面部１８を有する躯体１９上方に前記引出し部４を載置する第１台座１６及び第２台座１７とを開口部を介して固定し、さらに躯体１９上端部には斜めに延設する台座斜面部６と本体上部を被覆する一方で、景品を下方に落下させる開口部とを有する上蓋部２１と、背部押え板１５とから構成されることを特徴とする景品簡易供給ボックス。
【請求項２】
前記引出し部４は、本体上面に突起体８と景品攪拌部９とを固定してあると共に、景品を１個毎に落下することが可能な景品抜き出し孔７を設けてあることを特徴とする請求項１記載の景品簡易供給ボックス。
【請求項３】
前記引出し部４は、溝用側板１０に設けた引出し部用溝１１と前記台座本体３０の留め具用棚１３とを弾性材２０によって伸縮自在に連結されていることを特徴とする請求項１〜２記載の景品簡易供給ボックス。
【考案の詳細な説明】
【技術分野】
【０００１】
本考案は、景品等を簡易に引き出して供給する景品簡易供給ボックスに関し、更に詳しくは、ボックスや内部機構をダンボールや硬質樹脂製としてコストの安いボックスを提供するものである。
【背景技術】
【０００２】
従来、ガムや菓子、あるいは玩具類等の景品を収納し供給する装置として自動販売機の様にコインを投入して、操作ボタンを動かすことによって収容された景品を適宜抜き出すことは公知である。
【０００３】
上記、自動販売機の場合、コインを取り扱う為にコイン投入部や投入後の操作ボタンと供給機構との連結構造に多くの工夫が成されているために、装置全体として頑丈な素材で装置を形成しなければならないという制限があった。
【０００４】
簡易な構造の景品簡易供給ボックスとして、実開昭６２−７８９９８号公報「おもちゃ」には、ガム、菓子等の景品を供給する供給ボックスと、該供給ボックスの下部に配設されるローターと、硬貨の挿入によりスプリングで付勢された爪が爪ガイドの切欠部から外れて回転するように形成されたセレクターと、ローター開口孔の下部に配設された案内筒の先に出口が形成されたおもちゃ本体とから景品供給用のおもちゃが開示されている。
【０００５】
上記のおもちゃは、各構成物を金属素材等を用いるために型枠を最初に造らざるを得なく、最終的にコストのかかる供給ボックスとなっていた。
【特許文献１】実開昭６２−７８９９８号公報
【考案の開示】
【考案が解決しようとする課題】
【０００６】
販促会場等では、景品を参加者に適宜抜き出して参加者にプレゼントすれば良く、そのために従来の自動販売機の様にコイン投入口も必要でなく、供給ボックス内部の景品を簡易に抜き出すことができ、景品の種類によって等級を決めれる景品簡易供給ボックスが望まれていた。
【０００７】
一方で、販促会場毎に使用するためには、供給ボックス自体が軽量であって持ち運びが容易であり、景品の種類を代えても同じように景品の供給が可能な構造のものが望まれていた。
【課題を解決するための手段】
【０００８】
本考案者は、斯かる課題を解決するために鋭意研究したところ、供給ボックス素材としてダンボールや硬質樹脂製を用い、内部の供給手段として台座下部に景品を引き出す引出し部を設けることによって、内部の景品を１個毎に供給できる景品簡易供給ボックスを提供することができた。
【０００９】
すなわち本考案の第一は、景品を収容し供給する簡易供給ボックスであって、
前記ボックスは、ボックス本体１の一面に景品排出口２とその前に位置する景品取出し部３と前後に移動可能な引出し部４用の開口部５とを設け、上面には景品を収容させる為の開放蓋を設けてあり、
前記ボックス内側には、景品を載置し、前記引出し部４の移動により景品を１個毎に抜き出し口より下方に落下させる台座本体３０を設置すると共に、
該台座本体３０は、斜面部１８を有する躯体１９上方に前記引出し部４を載置する第１台座１６及び第２台座１７とを開口部を介して固定し、さらに躯体１９上端部には斜めに延設する台座斜面部６と本体上部を被覆する一方で、景品を下方に落下させる開口部とを有する上蓋部２１と、背部押え板１５とから構成されることを特徴とする景品簡易供給ボックスである。
【００１０】
本考案の第二は、前記引出し部４は、本体上面に突起体８と景品攪拌部９とを固定してあると共に、景品を１個毎に落下することが可能な景品抜き出し孔７を設けてあることを特徴とする請求項１記載の景品簡易供給ボックスである。
【００１１】
本考案の第三は、前記引出し部４は、溝用側板１０に設けた引出し部用溝１１と前記台座本体３０の留め具用棚１３とを弾性材２０によって伸縮自在に連結されていることを特徴とする請求項１〜２記載の景品簡易供給ボックスである。
【考案の効果】
【００１２】
本考案の景品簡易供給ボックスは、素材がダンボール材や硬質樹脂を用いるために製造コストが安くつくために、供給する景品に販促品に費用を回すことができる。
【００１３】
内部の構造が簡易であるために、組立て、あるいは補修が容易にできるために誰にでも容易に取り扱えるボックスとなっている。
【考案を実施するための最良の形態】
【００１４】
以下、実施例を基に本考案の詳細を説明するが、本考案の範囲はこれらに限定されるものではない。
【実施例１】
【００１５】
図１は、本考案の全体を示す斜視図である。本考案は、上部に開放蓋（図示せず）が取り付けられている縦１５ｃｍ、横１５ｃｍ、高さ２５ｃｍの紙製ボックス本体１の一面に景品を排出する景品排出口２と景品取出し部３と、ボックス内部の景品を１個毎に抜き出す引出し部４用の開口部５とが設けられ、該引出し部用の開口部５に縦５ｃｍ、横２０ｃｍ、厚み２ｍｍの硬質樹脂製の引出し部４が挿通されて前後に移動可能に設置される。
【００１６】
図２は、図１におけるボックス本体内部を示す部分斜視図である。ボックス本体１内部には、景品を載置する両端部が斜辺を有する台座本体３０が固着されるが、この台座本体３０は図４に示されるように、斜面部１８を有する躯体１９上方に前記引出し部４を載置する第１台座１６及び第２台座１７とを開口部を介して固定し、さらに躯体１９上端部には斜めに延設する台座斜面部６と本体上部を被覆する一方で、景品を下方に落下させる開口部とを有する上蓋部２１と、背部押え板１５とから構成されている。
【００１７】
図３は、本考案の引出し部４を示す斜視図であるが、この引出し部４は、本体上面に突起体８と景品攪拌部９とを固定してあると共に、景品を１個毎に落下することが可能な景品抜き出し孔７を設けてあると共に、溝用側板１０に設けた引出し部用溝１１と前記台座本体３０の留め具用棚１３とを弾性材２０によって伸縮自在に連結されている。
【００１８】
前記台座本体３０は、図５に示すように景品を引き出すための引出し部４が挿通されるが、この場合、引出し部４は、台座本体３０の第１台座１６と第２台座１７上を移動可能に設定され、引出し部５側板１０に設けられた左右の引出し部用溝１１に輪ゴムからなる弾性材２０が係止され、他端は台座本体３０に設けられている留め具用棚１３に同様に係止され、通常は弾性材２０の作用で引出し部４はボックス本体外に端部が出ており、景品を引き出すときには引き出し部４をボックス内部に押出すことによって景品を１個落下させるようにしている。
【００１９】
この場合、台座本体３０の上蓋部２１上にある多くの景品の内１個は引出し部４に設けられた景品引出し孔７に略半分埋まっているが、その状態で引出し部４がボックス内部に押されると、景品引出し孔７が材座本体３０の開口部上に移動して景品を下方に落下させる。
【００２０】
落下した景品は、台座本体３０の内部に設けた斜面部１８を滑り落ち、ボックス本体１の景品排出口２から景品取り出し部３に流れ出て止まる構造となっている。
【００２１】
この場合、景品引出し孔７に略半分埋まった景品に隣接する他の景品は共に内方向に移動するが、景品引出し孔７の手前に設けた突起体８によって位置が高くなり、上蓋体２１に設けた小開口部の端部に接して後方に戻されるために景品引出し孔７から落下することはない。
【００２２】
景品が多くある場合には、引出し部４の上に固定した景品攪拌部９で内部での攪拌が容易にできるようにしているが、この景品攪拌部９は引出し部４の前後の移動に伴って同運動をするものである。
【００２３】
本実施例において用いた景品は、直径２ｃｍのサッカーボールであるが、複数の色違いをボックス内に入れることで等級を示すようにしている。この場合、景品の形状は用途に合わせて用いることができ、球体以外の景品の場合には景品引出し孔７の形状をｋりひんに合わせて設定すれば良い。
【図面の簡単な説明】
【００２４】
【図１】本考案の全体を示す斜視図である。
【図２】本考案のボックス本体内部を示す部分斜視図である。
【図３】本考案の引出し部を示す斜視図である。
【図４】本考案の台座本体を示す斜視図である。
【図５】本考案の引出し部と台座本体の挿通関係を示す部分拡大図である。
【符号の説明】
【００２５】
１・・・ボックス本体
２・・・景品排出口
３・・・景品取出し部
４・・・引出し部
５・・・引出し部用開口部
６・・・台座斜面部
７・・・景品抜き出し孔
８・・・突起体
９・・・景品攪拌部
１０・・引出し部溝用側板
１１・・引出し部用溝
１２・・抜き出し孔
１３・・留め具用棚
１４・・攪拌部移動用小孔
１５・・背部押え板
１６・・第１台座
１７・・第２台座
１８・・景品取り出し斜面部
１９・・斜面部内蔵躯体
２０・・弾性材
２１・・上蓋部
３０・・台座本体
【図１】
0003113856.tif 000003
【図２】
0003113856.tif 000004
【図３】
0003113856.tif 000005
【図４】
0003113856.tif 000006
【図５】
0003113856.tif 000007